(57)【要約】【課題】  ハロゲンヒータの出力を制御する制御部品、制御基盤等を用いることなく、温蔵ショーケースとして適切な出力を得ることができるヒータ装置及び温蔵ショーケースを提供する。【解決手段】  温蔵ショーケース１は電圧１００Ｖの交流電源ＡＣから電力を得ており、プレートヒータ制御装置１０は上室２、中室３、下室４のそれぞれの温度を測定するサーミスタＳ１，Ｓ２，Ｓ３と、それぞれの温度を設定する可変抵抗ＶＲ１，ＶＲ２，ＶＲ３とを備え、上室ハロゲンヒータ８−１と中室ハロゲンヒータ８−２とは直列に接続している。【選択図】図２
2006092861.tif 000002
【特許請求の範囲】
【請求項１】
少なくとも１つのハロゲンヒータを含む複数のヒータを備えるヒータ装置であって、
前記ハロゲンヒータは１つ以上の他のヒータと直列に接続されている
ことを特徴とするヒータ装置。
【請求項２】
前記ハロゲンヒータに接続される１つ以上の他のヒータのうち少なくとも１つはハロゲンヒータである
ことを特徴とする請求項１に記載のヒータ装置。
【請求項３】
請求項１又は２に記載のヒータ装置を備えている
ことを特徴とする温蔵ショーケース。
【発明の詳細な説明】
【技術分野】
【０００１】
本発明は、少なくとも１つのハロゲンヒータを含む複数のヒータを備えるヒータ装置及び温蔵ヒータに関するものである。
【背景技術】
【０００２】
従来、この種のヒータ装置として、ハロゲンヒータに入力される交流電源の位相を制御してハロゲンヒータの出力を多段階に変化させるようにしたものが知られている（例えば特許文献１参照。）。
【特許文献１】特開２００１−２６３６７９号公報
【発明の開示】
【発明が解決しようとする課題】
【０００３】
しかしながら、従来のヒータ装置を温蔵ショーケースに利用する場合、一般に流通しているハロゲンヒータではショーケース用として負荷温度、照度が必要以上に大きいためハロゲンヒータの寿命が短く、温蔵ショーケースとしての仕様を満たすものではなかった。そこで、必要な出力（温度、照度）を得るためにトライアック、ＳＳＲ（ソリッドステートリレー）、トランス等のハロゲンヒータの出力を制御する制御部品、制御基盤等が必要となり、ヒータ装置のコストが高くなる、という問題点があった。
【０００４】
本発明は前記問題点に鑑みてなされたものであり、その目的とするところは、
ハロゲンヒータの出力を制御する制御部品、制御基盤等を用いることなく、温蔵ショーケースとして適切な出力を得ることができるヒータ装置及び温蔵ショーケースを提供することにある。
【課題を解決するための手段】
【０００５】
本発明は前記目的を達成するために、少なくとも１つのハロゲンヒータを含む複数のヒータを備えるヒータ装置であって、前記ハロゲンヒータは１つ以上の他のヒータと直列に接続されているヒータ装置を提案する。
【０００６】
上記構成よりなるヒータ装置によれば、ハロゲンヒータは１つ以上の他のヒータと直列に接続されている。従って、ハロゲンヒータにかかる電圧が低くなり、ハロゲンヒータの出力を制御する制御部品、制御基盤等を用いることなくハロゲンヒータの出力（温度、照度）を減少させることができる。
【０００７】
また、本発明は、上記構成のヒータ装置において、前記ハロゲンヒータに接続される１つ以上の他のヒータのうち少なくとも１つはハロゲンヒータであるヒータ装置を提案する。
【０００８】
上記構成よりなるヒータ装置によれば、前記ハロゲンヒータに接続される１つ以上の他のヒータのうち少なくとも１つはハロゲンヒータである。従って、前記ハロゲンヒータに接続される他のヒータは種類や数を問わない。
【０００９】
また、本発明は前記目的を達成するために、上記記載のヒータ装置を備えている温蔵ショーケースを提案する。
【００１０】
上記構成よりなる温蔵ショーケースによれば、前記のヒータ装置を備えている。従って、制御部品、制御基盤等を用いることなく温蔵ショーケースとして必要な仕様（温度、照度、寿命）を満たすことができる。
【発明の効果】
【００１１】
本発明のヒータ装置及び温蔵ショーケースによれば、ハロゲンヒータと１つ以上の他のヒータとを直列に接続することにより、ハロゲンヒータにかかる電圧が低くなり、出力（温度、照度）を制御するための制御部品、制御基盤等を用いることなくハロゲンヒータの出力（温度、照度）を減少させることができ、その結果、ヒータ装置のコストを安くすることができるとともに、抵抗熱として放出していた電気エネルギーを有効に利用することができる。
【００１２】
また、出力（温度、照度）が減少することで、ハロゲンヒータの寿命を飛躍的に延ばすことができ、温蔵ショーケースとして必要な仕様（温度、照度、寿命）を満たすことができる。
【００１３】
本発明の前記目的とそれ以外の目的、構成特徴、作用効果は、以下の説明と添付図面によって明らかとなる。
【発明を実施するための最良の形態】
【００１４】
図１乃至図３は本発明の一実施形態を示すもので、図１は本発明の一実施形態における温蔵ショーケースの斜視図、図２は図１に示した温蔵ショーケースの電気系回路を示す図、図３は図１に示した温蔵ショーケースの他の電気系回路を示す図である。
【００１５】
まず、図１を参照して本発明の一実施形態における温蔵ショーケースの構成について説明する。
【００１６】
本発明の温蔵ショーケース１は、図１に示すように、上から上室２、中室３、下室４の３つの空間に分けられており、それぞれの空間は棚本体５で仕切られている。
【００１７】
この棚本体５の中には、図示しないプレートヒータが埋設されており、棚本体５の上に陳列された商品を下から加温しながら貯蔵している。
【００１８】
また、上室２及び中室３には、それぞれヒータカバー７に覆われたハロゲンヒータ８が備えられており、棚本体５の上に陳列された商品を上から照明として照らすとともに赤外線により加熱している。なお、上室２、中室３、下室４は、図示しない温度計によってそれぞれの空間の温度が測定されている。
【００１９】
また、下室４の下方には機械室９があり、それぞれの棚本体５の図示しないプレートヒータの温度を制御しているプレートヒータ制御装置１０が収められている。
【００２０】
次に、図２及び図３を参照して図１に示した温蔵ショーケースの電気系回路について説明する。
【００２１】
温蔵ショーケース１は電圧１００Ｖの交流電源ＡＣから電力を得ており、プレートヒータ制御装置１０は上室２、中室３、下室４のそれぞれの温度を測定するサーミスタＳ１，Ｓ２，Ｓ３と、それぞれの温度を設定する可変抵抗ＶＲ１，ＶＲ２，ＶＲ３とを備えている。
【００２２】
また、上室プレートヒータ５−１、中室プレートヒータ５−２，下室プレートヒータ５−３は、上室２、中室３、下室４のそれぞれの温度が一定以上とならないように、サーモスタット等の温度スイッチを備えている。
【００２３】
プレートヒータ制御装置１０は、サーミスタＳ１，Ｓ２，Ｓ３が測定する上室２、中室３、下室４の温度に基づいて、上室２、中室３、下室４の温度があらかじめ可変抵抗ＶＲ１，ＶＲ２，ＶＲ３で設定された温度となるように、上室プレートヒータ５−１、中室プレートヒータ５−２、下室プレートヒータ５−３のそれぞれに流れる電流を変化させる。なお、プレートヒータ制御装置１０はスイッチ等を備え、上室プレートヒータ５−１、中室プレートヒータ５−２、下室プレートヒータ５−３のそれぞれに流れる電流のオン・オフを制御するようにしてもよい。
【００２４】
上室ハロゲンヒータ８−１及び中室ハロゲンヒータ８−２は、定格電圧１００Ｖ、消費電力１５０Ｗ、寿命１００００時間の一般に流通しているハロゲンヒータであり、上室ハロゲンヒータ８−１と中室ハロゲンヒータ８−２とは直列に接続している。よって、上室ハロゲンヒータ８−１及び中室ハロゲンヒータ８−２のそれぞれにかかる電圧は直列に接続しない場合と比べ半分になる。
【００２５】
また、上室プレートヒータ５−１は第１ヒータ部５−１ａと第２ヒータ部５−１ｂとを備え、中室プレートヒータ５−２は第１ヒータ部５−２ａと第２ヒータ部５−１ｂとを備えている場合、図３に示すように、上室ハロゲンヒータ８−１と上室プレートヒータ５−１の一部、例えば第２ヒータ部５−１ｂとを直列に接続し、中室ハロゲンヒータ８−２と中室プレートヒータ５−２の一部、例えば第２ヒータ部５−２ｂとを直列に接続することにより、上室ハロゲンヒータ８−１及び中室ハロゲンヒータ８−２のそれぞれにかかる電圧が低くなるようにしてもよい。なお、直列に接続する数は２つに限らず３つ以上であってもよいことは言うまでもない。
【００２６】
このように、上記構成のヒータ装置及び温蔵ショーケースによれば、上室ハロゲンヒータ８−１と中室ハロゲンヒータ８−２とを直列に接続することにより、上室ハロゲンヒータ８−１及び中室ハロゲンヒータ８−２のそれぞれにかかる電圧が低くなり、出力（温度、照度）を制御するための制御部品、制御基盤等を用いることなく上室ハロゲンヒータ８−１及び中室ハロゲンヒータ８−２の出力（温度、照度）を減少させることができる。
【００２７】
その結果、出力（温度、照度）を制御するための制御部品、制御基盤等を用いていないので、ヒータ装置のコストを安くすることができるとともに、従来、トライアック、ＳＳＲ、トランス等の抵抗熱として放出していた電気エネルギーを有効に利用することができる。また、出力（温度、照度）が減少することで、上室ハロゲンヒータ８−１及び中室ハロゲンヒータ８−２の寿命を飛躍的に延ばすことができ、温蔵ショーケースとして必要な仕様（温度、照度、寿命）を満たすことができる。
【００２８】
また、上室ハロゲンヒータ８−１及び中室ハロゲンヒータ８−２と直列に接続されるものは、上室プレートヒータ５−１、中室プレートヒータ５−２，下室プレートヒータ５−３であってもよく、直列に接続する数も問わない。
【００２９】
なお、本発明の構成及び動作は、上述の実施形態にのみ限定されるものではなく、本発明の要旨を逸脱しない範囲内において種々変更を加えてもよい。
【図面の簡単な説明】
【００３０】
【図１】本発明の一実施形態における温蔵ショーケースの斜視図
【図２】図１に示した温蔵ショーケースの電気系回路を示す図
【図３】図１に示した温蔵ショーケースの他の電気系回路を示す図
【符号の説明】
【００３１】
１…温蔵ショーケース、２…上室、３…中室、４…下室、５…棚本体、７…ヒータカバー、８…ハロゲンヒータ、９…機械室、１０…ホットプレート制御装置、５−１…上室プレートヒータ、５−１ａ…第１ヒータ部、５−１ｂ…第２ヒータ部、５−２…中室プレートヒータ、５−２ａ…第１ヒータ部、５−２ｂ…第２ヒータ部、５−３…下室プレートヒータ、８−１…上室ハロゲンヒータ、８−２中室ハロゲンヒータ、ＡＣ…交流電源、Ｓ１，Ｓ２，Ｓ３…サーミスタ、ＶＲ１，ＶＲ２，ＶＲ３…可変抵抗
【図１】
2006092861.tif 000003
【図２】
2006092861.tif 000004
【図３】
2006092861.tif 000005